(57)【要約】【課題】アナログ動画像又はデジタル動画像から静止画を取り出して表示する際、コスト増大とならず、ユーザの待ち時間を短縮することができる画像処理装置を提供する。【解決手段】アナログ動画像から第一の静止画を取り出すアナログ静止画取出手段６、デジタル動画像から第二の静止画を復号して取り出すデジタル静止画取出手段３、表示部もしくは外部表示手段と接続する手段とを具備する画像処理装置において、アナログ静止画取出手段６が取り出す第一の静止画とデジタル静止画取出手段３が復号して取り出す第二の静止画とが同時刻であるように制御する制御手段１を具備し、第二の静止画を復号して取り出すまで、先に取り出した第一の静止画をプレビューする。【選択図】        図１
2004312541.tif 000002
【特許請求の範囲】
【請求項１】
アナログ動画像から第一の静止画を取り出すアナログ静止画取出手段と、デジタル動画像から第二の静止画を復号して取り出すデジタル静止画取出手段と、表示部もしくは外部表示手段と接続する手段とを具備する画像処理装置において、
前記アナログ静止画取出手段が取り出す第一の静止画とデジタル静止画取出手段が復号して取り出す第二の静止画とが同時刻であるように制御する制御手段を具備し、第二の静止画を復号して取り出すまで、先に取り出した第一の静止画をプレビューすることを特徴とする画像処理装置。
【請求項２】
請求項１に記載の画像処理装置において、
画像を編集する手段を具備し、第一の静止画のプレビューにおいて画像編集を行なった場合、第二の静止画も同じ画像編集を行なうことを特徴とする画像処理装置。
【請求項３】
請求項１に記載の画像処理装置において、
上記アナログ静止画取出手段は第一の静止画を複数取り出すことができ、複数の取り出した第一の静止画中から選択された第一の静止画に対応する第二の静止画をデジタル静止画取出手段は復号して取り出すことを特徴とする画像処理装置。
【請求項４】
請求項１に記載の画像処理装置において、
上記デジタル静止画取出手段は、第二の静止画の復号を行なっている際に、アナログ静止画取出手段がアナログ動画像から新たに第一の静止画を取り出すと、第二の静止画の復号を中止することを特徴とする画像処理装置。
【請求項５】
アナログ動画像から第一の静止画を取り出す手段と、デジタル動画像から第二の静止画を取り出す手段と、同時刻の第一の静止画と第二の静止画を取り出す制御手段を具備し、高速モードにおいては第一の静止画を取り出して出力し、高画質モードでは第二の静止画を取り出して出力することを特徴とする画像処理装置。
【請求項６】
相対的に低画質又は小容量な動画像から第一の静止画を取り出す低質静止画取出手段と、相対的に高画質な又は大容量な動画像から第二の静止画を取り出す高質静止画取出手段と、前記低質静止画取出手段が取り出す第一の静止画と高質静止画取出手段が復号して取り出す第二の静止画とが同時刻であるように制御する制御手段を具備し、第一の静止画と第二の静止画の使い分けが可能であることを特徴とする画像処理装置。
【発明の詳細な説明】
【０００１】
【発明の属する技術分野】
この発明は、画像処理装置であり、特にＩＥＥＥ１３９４のようなデジタルＩ／Ｆを持ち、圧縮方式で圧縮された画像データを復号化し、表示・印刷するための圧縮画像データ印刷装置に関する。
【０００２】
【従来の技術】
近年、ＤＶ（Ｄｉｇｉｔａｌ  Ｖｉｄｅｏ）やＭＰＥＧ（Ｍｏｖｉｎｇ  ａ  Ｐｉｃｔｕｒｅ  Ｅｘｐｅｒｔｓ  Ｇｒｏｕｐ）のようなデジタル動画像を復号し、印刷を行なう機器の需要が拡大してきている。
【０００３】
特許文献１にデジタル画像を印刷する機器に関する特許が出されている。このような機器は図９にあるように、外部画像処理装置（デジタル放送受信機）と、ＩＥＥＥ１３９４のようなデジタルＩ／Ｆを用いて接続し、動画像を復号し、静止画を得る。得られた静止画を用いて印刷を行なう、或いは得られた静止画をアナログ変換しモニターに表示を行なう。
【０００４】
しかしながらこの特許はデジタル動画像に関する構成のみで、アナログ動画像については全く考慮されていない。すなわちアナログ入力からの動画は、全く用いられてなかった。
【０００５】
【特許文献１】
特開２００１−１３６４６８号公報
【０００６】
【発明が解決しようとする課題】
上記のような外部画像処理装置が、デジタル画像復号用に専用ハードウエアを持つのに対し、ビデオプリンタはＣＰＵで画像復号を行なう。そのためデジタル動画像の復号に十分大きな時間がかかっていた。ビデオプリンタでデジタル動画像の復号時間を短くしようとすると、専用ハードウエアの追加やＣＰＵの性能アップによりコスト増大を招いてしまう。
【０００７】
ビデオプリンタは静止画の取り出しを行なう時、ユーザからの指示を受け、デジタル動画像を復号し、静止画をとり出す。ところがデジタル動画像の復号は上記のように十分大きな時間がかかるため、キャプチャ指示の後静止画がモニタに表示されるまで、ユーザが待たされるという欠点があった。
【０００８】
またモニタに表示された静止画がユーザの所望の静止画で無かった場合、再度キャプチャを行なう必要があるが、ユーザはモニタに静止画が映されるまで長い時間を待たなくてはならない。よってユーザは待ち時間イライラしたり、所望のシーンが全く別のシーンに切り替わってしまい悔しい思いをするという欠点があった。
【０００９】
本発明は、そのような状況に鑑みてなされたもので、上記のような問題を解決し、アナログ動画像又はデジタル動画像から静止画を取り出して表示する際、コスト増大とならず、ユーザの待ち時間を短縮することができる画像処理装置を提供することを目的とする。
【００１０】
【課題を解決するための手段】
本発明は、アナログ動画像から第一の静止画を取り出すアナログ静止画取出手段と、デジタル動画像から第二の静止画を復号して取り出すデジタル静止画取出手段と、表示部もしくは外部表示手段と接続する手段とを具備する画像処理装置において、前記アナログ静止画取出手段が取り出す第一の静止画とデジタル静止画取出手段が復号して取り出す第二の静止画とが同時刻であるように制御する制御手段を具備し、第二の静止画を復号して取り出すまで、先に取り出した第一の静止画をプレビューする画像処理装置である。
【００１１】
これにより、低画質であるがすぐに使用出来る（アナログ動画像から取り出した）静止画を、プレビューに使用することによりプレビューまでの時間を早くすることができ、また、高画質であるが復号に時間がかかるデジタル動画像の復号を、プレビュー中に行なうことにより、高画質の静止画も待ち時間なしに得ることができるので効率的である。
【００１２】
また、本発明は、画像を編集する手段を具備し、第一の静止画のプレビューにおいて画像編集を行なった場合、第二の静止画も同じ画像編集を行なう画像処理装置である。
【００１３】
これにより、低画質であるがすぐに使用出来る（アナログ動画像から取り出した）静止画を、プレビューに使用し画像編集（イメージ合成、セピア調等の画像処理）することにより、再プレビューまでの時間を早くすることができ、また、プレビュー開始後に、デジタル動画像から取り出した静止画の画像編集も行なうことにより、プレビュー後に画像編集後の画像の印刷指示や画像保存があった場合に、高画質の静止画を使用でき、且つユーザはアナログとデジタルのそれぞれに画像編集の操作指示を行なわなくて良いので、スムーズに保存や印刷を行なうことができる。
【００１４】
そして、本発明は、上記アナログ静止画取出手段は第一の静止画を複数取り出すことができ、複数の取り出した第一の静止画中から選択された第一の静止画に対応する第二の静止画をデジタル静止画取出手段は復号して取り出す画像処理装置である。
【００１５】
これにより、低画質であるがすぐに使用出来る（アナログ動画像から取り出した）静止画を、プレビューに使用することによりプレビューまでの時間を早くすることができ、また、プレビューした画像の中からがユーザの所望の画像をすばやく見つけ出すことができ、効率的に所望の画像を選択することができ、さらに、所望の静止画を高画質で得ることができる。
【００１６】
更に、本発明は、上記デジタル静止画取出手段は、第二の静止画の復号を行なっている際に、アナログ静止画取出手段がアナログ動画像から新たに第一の静止画を取り出すと、第二の静止画の復号を中止する画像処理装置である。
【００１７】
これにより、低画質であるがすぐに使用出来る（アナログ動画像から取り出した）静止画を、プレビューに使用することによりプレビューまでの時間を早くすることができ、また、プレビューした画像がユーザの所望の静止画で無かった場合、すぐに次のキャプチャを行なうことができて効率的である。
【００１８】
また、本発明は、アナログ動画像から第一の静止画を取り出す手段と、デジタル動画像から第二の静止画を取り出す手段と、同時刻の第一の静止画と第二の静止画を取り出す制御手段を具備し、高速モードにおいては第一の静止画を取り出して出力し、高画質モードでは第二の静止画を取り出して出力する画像処理装置である。
【００１９】
これにより、高速モードの時は、画質は落ちるが高速処理できるアナログ動画像から静止画を取り出し、高画質モードの時は、復号に時間がかかるが高画質出力できるデジタル動画像から静止画を取り出すことで用途に応じて効果的な画像を得ることができる。
【００２０】
そして、本発明は、相対的に低画質又は小容量な動画像から第一の静止画を取り出す低質静止画取出手段と、相対的に高画質な又は大容量な動画像から第二の静止画を取り出す高質静止画取出手段と、前記低質静止画取出手段が取り出す第一の静止画と高質静止画取出手段が復号して取り出す第二の静止画とが同時刻であるように制御する制御手段を具備し、第一の静止画と第二の静止画の使い分けが可能である画像処理装置である。
【００２１】
これにより、上記の処理が、アナログ動画像とデジタル動画像の組み合わせだけに限定することなく、低画質動画像と高画質動画像の組み合わせで同じことができる。
【００２２】
【発明の実施の形態】
本発明の実施の形態を説明する。
図１は本発明の実施の形態における画像処理装置の構成を示す図である。この装置は制御部１、デジタル入力用メモリ２、第二の静止画取り出し部３（復号部）、アナログ入力用メモリ４、出力部５（印刷部、保存部）、第一の静止画取り出し部６、アナログ出力用メモリ７、画像処理部８、から構築される。
【００２３】
制御部１は、本装置全体を制御するもので、ＣＰＵ、ＲＯＭ、ＲＡＭ等から構成される。デジタル入力用メモリ２は、（例えばＩＥＥＥ１３９４Ｉ／Ｆ）から入力されたデジタル動画像を一時的に記憶を行なう。第二の静止画取り出し部３は、デジタル入力用メモリ２に記憶された動画像を復号しデジタル静止画を取り出す。アナログ入力用メモリ６は、（例えばコンポジットＩ／Ｆ）から入力されたアナログ動画像を一時的に記憶を行なう。第一の静止画取り出し部６は、アナログ入力用メモリ４に記憶された動画像から、復号化なしでメモリーの転送だけで静止画を取り出す。出力部５は印刷部や保存部で、得られた静止画の印刷や保存を行なう。アナログ出力用メモリ７は、得られた静止画のプレビューやメニュー画面の表示を行なうために用いられる。画像処理部８は、得られた静止画の画像処理を行なう。
【００２４】
第二の静止画取り出し部３の処理は、デジタル動画像が高解像度であるため、一画面あたりの画像容量が多い。またこの処理は、デジタル動画像の復号（可変長復号化処理、フレーム間予測復号、ｉＤＣＴ処理など）を行なう必要がある。
【００２５】
第一の静止画取り出し部６の処理は、アナログ動画像はデジタル画像に比べ低解像度であるため一画面あたりの画像容量が少ない。またこの処理は、復号の必要がないため、アナログ入力用メモリ２からのメモリ転送を行なうだけで十分である。
【００２６】
そのため第二の静止画取り出し部３の処理は、第一の静止画取り出し部６の処理に比べて充分大きな時間がかかる。その反面デジタル静止画は、アナログ静止画に比べて画質が良い。
【００２７】
実施例１を説明する。本実施例の画像処理装置は、低画質であるが短時間で処理出来る（アナログ動画像から取り出した）静止画を、まずプレビューに使用する。これによりプレビューまでの時間を早くすることができるので、ユーザはキャプチャした静止画をすぐに確認することができる。また高画質であるが復号に時間がかかるデジタル動画像の復号を、プレビュー中に行なう。これによりユーザがプレビューで静止画を確認している間に、デジタル動画像から取り出した高画質の静止画を得ることができる。高画質の静止画を印刷や保存に用いる一方、静止画確認を早く確認することができるようになる。
【００２８】
図２は実施例１の画像処理装置における画像処理の一例のフローである。制御部１は、キャプチャ（静止画取り出し）動作開始時（Ｓ１）、アナログ入力用メモリ４とデジタル入力用メモリ２の書き込みを中止し（Ｓ２）、第一の静止画取り出し部６は、アナログ入力用メモリ４に蓄えられたアナログ動画像から、第一の静止画を得る（Ｓ３）。アナログ出力用メモリ７に第一の静止画を書き込んでプレビューを行なう（Ｓ４）。第一の静止画を元に、同期処理を行い（Ｓ５）、第二の静止画を得る（Ｓ６）。第二の静止画を元に出力処理を行う（Ｓ７）。
【００２９】
ユーザから印刷の指示があった場合（Ｓ８：印刷）、第二の静止画を外部出力用メモリ５から、印刷部に転送し印刷を行なう（Ｓ９）。ユーザから保存の指示があった場合（Ｓ８：保存）、ハードディスクやリムーバブルメディア等に第二の静止画を保存する（Ｓ１０）。中止の指示があった場合（Ｓ８：中止）、何もせずに終了する。
【００３０】
図７は同期処理について詳しく書いたものである。第二の静止画取り出し部３は、デジタル入力用メモリ４に蓄えられたデジタル動画像から、静止画を復号する（Ｓ７０１）。デジタル動画像から取り出した静止画を外部機器出力用メモリ５に書き込む（Ｓ７０２）。取り出した静止画を第一の静止画と比較し（Ｓ７０３）、不一致だった場合（Ｓ７０３：不一致）、もう一度デジタル動画像を復号する（Ｓ７０１）。一致した場合（Ｓ７０３：一致）、取り出した静止画を第二の静止画とする。
【００３１】
実施例２を説明する。本実施例の画像処理装置は、デジタル動画像から取り出した高画質の静止画に画像処理を行う時に、まずアナログ動画像から取り出した低画質の静止画に画像処理を行う。これによりユーザは所望の画像処理結果をいち早く知ることができる。さらに画像処理においては、高画質な静止画に画像処理を行うことができる。
【００３２】
図３は実施例２の画像処理装置における画像処理の一例のフローである。Ｓ３０１〜Ｓ３０６は実施例１のＳ１〜Ｓ６と同様である為、説明を省略する。２つの静止画を取り出した後、ユーザから画像処理の指示があった場合（Ｓ３０７：ＹＥＳ）、第一の静止画の画像処理を行なった後、モニタ出力用メモリ７に書き込んで、再プレビューを行なう（Ｓ３０８）。画像処理とは、具体的には、入力した文字や定形フレームとキャプチャした静止画との合成、静止画の切り抜き、画像修飾（セピア調変換、モノクロ変換）等である。再プレビュー開始後、第二の静止画を同様に画像処理を行なって外部機器出力用メモリ５に記憶する（Ｓ３０９）。Ｓ３１０出力処理については、実施例１のＳ７出力処理と同じであるため省略する。
【００３３】
実施例３を説明する。本実施例の画像処理装置は、低画質であるがすぐに使用出来る（アナログ動画像から取り出した）静止画を、まずプレビューに使用する。これによりプレビューまでの時間を早くすることができるので、ユーザはキャプチャした静止画をすぐに見ることができる。そして複数の静止画を画面に表示することにより、効率的に所望の画像をすばやく選択することができる。選択された静止画と同じ画像を、デジタル動画像から復号することにより高画質な静止画を得ることができる。
【００３４】
図４は実施例３の画像処理装置における画像処理の一例のフローである。制御部１は、キャプチャ（静止画取り出し）動作開始時（Ｓ１）、アナログ入力用メモリ４とデジタル入力用メモリ２の書き込みを中止し（Ｓ２）、第一の静止画取り出し部６は、アナログ入力用メモリ４に蓄えられたアナログ動画像から、第一の静止画を複数得る（Ｓ３）。アナログ出力用メモリ７に第一の静止画を複数書き込んでプレビューを行なう（Ｓ４）。例えば図８は、プレビューした例を示している。ユーザは表示された複数の静止画８０１〜８０４の中から所望の静止画（例えば８０３）を選択し、それを第一の静止画とする（Ｓ４０５）。選択された第一の静止画に対応した第二の静止画を取り出すために、Ｓ４０７−Ｓ４０９の処理を行う。Ｓ４０７−Ｓ４０９の処理は、実施例１のＳ５−Ｓ７と同じであるため省略する。
【００３５】
実施例４を説明する。本実施例の画像処理装置は、低画質であるがすぐに使用出来る（アナログ動画像から取り出した）静止画を、まずプレビューに使用する。これによりプレビューまでの時間を早くすることができるので、ユーザはキャプチャした静止画をすぐに見ることができる。またプレビューした静止画がユーザの所望の静止画で無かった場合、すぐにデジタル動画像の復号を中止する。そして再度キャプチャ可能状態にすることで、ユーザの所望の静止画をすばやく見つけ出すことができる。
【００３６】
図４は実施例３の画像処理装置における画像処理の一例のフローである。Ｓ５０１−Ｓ５０４は、実施例１のＳ１−Ｓ４までと同じであるので省略する。第二の静止画取り出し部３は、デジタル入力用メモリ４に蓄えられたデジタル動画像から、静止画を復号する（Ｓ５０５）。第一の静止画がユーザの所望の静止画でない場合（Ｓ５０６：やり直し）、デジタル動画像の復号を中止し（Ｓ５１２）、もう一度キャプチャを行う（Ｓ５０１）。ユーザが所望の画像であった場合（Ｓ５０６：ＯＫ）、復号を続ける。復号が終了したら（Ｓ５０７：ＯＫ）、取り出した静止画を外部出力用メモリ５に書き込む（Ｓ５０８）。取り出した静止画を第一の静止画と比較し（Ｓ５０９）、不一致だった場合（Ｓ５０９：不一致）、もう一度デジタル動画像を復号する（Ｓ５０５）。一致した場合（Ｓ５０９：一致）、取り出した静止画を第二の静止画とする（Ｓ５１０）。Ｓ５１１出力処理は、実施例１のＳ７出力処理と同じであるため省略する。
【００３７】
実施例５を説明する。本実施例の画像処理装置は、キャプチャ時にモード判定を行なう。高速モードの時は、画質は落ちるが高速処理できるアナログ動画像から静止画を取り出す。高画質モードの時は、復号に時間がかかるが高画質出力できるデジタル動画像から静止画を取り出すことで、用途に応じて効果的な画像を得ることができる。例えばドラフト印刷やテスト印刷の時は低画質な静止画を用いて印刷し、本番の印刷では高画質な静止画を用いて印刷するなどが考えられる。
【００３８】
図６は実施例５の画像処理装置における画像処理の一例のフローである。制御部１は、キャプチャ（静止画取り出し）動作開始時（Ｓ６０１）、アナログ入力用メモリ４とデジタル入力用メモリ２の書き込みを中止し（Ｓ６０２）、モード判定を行なう（Ｓ６０３）。高速モードだった場合（Ｓ６０３：高速モード）、第一の静止画取り出し部６はアナログ入力用メモリ４から第一の静止画を外部機器用メモリ５に書き込む（Ｓ６０４）。高画質モードだった場合（Ｓ６０３：高画質モード）、第二の静止画取り出し部３は、デジタル入力用メモリ２から、デジタル動画像を取り出し復号し（Ｓ６０５）、第二の静止画を外部機器用メモリ５に書き込む（Ｓ６０６）。そして、得られた静止画を印刷、保存、画像処理などを行う。
【００３９】
実施例６を説明する。本実施例の画像処理装置は、アナログ動画像とデジタル動画像の組み合わせではなくても、相対的に低画質又は低容量の動画像と、相対的に高画質又は高容量な動画像の組み合わせで、同じ（似たような）静止画が取り出せる場合、［実施例１−５］までと同じことができる。
【００４０】
以上実施例で説明したように、本発明の画像処理装置においては、相対的に低画質又は低容量な動画像をアナログ動画像とし、相対的に高画質又は高容量な動画像をデジタル動画像とすればよい。相対的に低画質又は低容量な動画像はアナログ動画像と同じで、低画質であるがすぐに使用できるという性質を持つ。相対的に高画質又は高容量な動画像はデジタル動画像と同じで、復号に時間がかかるが高画質な画像が得られるという性質を持っている。
【００４１】
【発明の効果】
本発明によれば、アナログ動画像又はデジタル動画像から静止画を取り出して表示する際、コスト増大とならず、ユーザの待ち時間を短縮することができる画像処理装置を得ることができる。
【図面の簡単な説明】
【図１】実施例１の画像処理装置の構成説明図。
【図２】実施例１の画像処理装置における画像処理の一例のフローの説明図。
【図３】実施例２の画像処理装置における画像処理の一例のフローの説明図。
【図４】実施例３のフローの説明図。
【図５】実施例４の画像処理装置におけるフローの説明図。
【図６】実施例５の画像処理装置におけるフローの説明図。
【図７】実施例１の画像処理装置における同期処理の部分のフローの説明図。
【図８】実施例３で第一の静止画を複数表示した時の画面の説明図。
【図９】従来機器の構成説明図。
【符号の説明】
１  制御部
２  デジタル入力用メモリ
３  第２の静止画取り出し部
４  アナログ入力用メモリ
５  外部機器出力用メモリ
６  第１の静止画取り出し部
７  モニタ出力用メモリ
【図１】
2004312541.tif 000003
【図２】
2004312541.tif 000004
【図３】
2004312541.tif 000005
【図４】
2004312541.tif 000006
【図５】
2004312541.tif 000007
【図６】
2004312541.tif 000008
【図７】
2004312541.tif 000009
【図８】
2004312541.tif 000010
【図９】
2004312541.tif 000011